(57)【要約】      （修正有）【課題】プレート面において必要時に飲料が設置できる飲料設置具を提供する。【解決手段】上面に凹み部９を持ち、当該飲料設置具の取付け部面に設けられた取付け凹所に略面一に嵌め込み装着されるベース体３と、飲料の支持開口１５を備えて凹み部９に嵌め込み配置され、その嵌め込み配置された際にその上面をベース体３の上面と略面一とする飲料支持体５と、ベース体３に飲料支持体５を起倒可能に連結する連結体２０、２１とを備える。【選択図】図２
0003220507.tif 000002
【実用新案登録請求の範囲】
【請求項１】
上面に凹み部を持ち、当該飲料設置具の取付け部面に設けられた取付け凹所に略面一に嵌め込み装着されるベース体と、
飲料の支持開口を備え、前記凹み部に嵌め込み配置され、その嵌め込み配置された際にその上面を前記ベース体の上面と略面一とする飲料支持体と、
前記ベース体に前記飲料支持体を起倒可能に連結する連結体と、
を備えることを特徴とする飲料設置具。
【請求項２】
前記ベース体が、前記取付け凹所周縁上に位置する取付け縁を備える請求項１記載の飲料設置具。
【請求項３】
前記ベース体上面に、前記飲料支持体の起時に前記支持開口に相対する飲料設置凹部が設けられている請求項１記載の飲料設置具。
【請求項４】
前記飲料支持体を誤った位置に指をかけて起こすことを防止する指かけ防止部が設けられてなる請求項１記載の飲料設置具。
【考案の詳細な説明】
【技術分野】
【０００１】  この考案は、プレート面において使用される飲料設置具に関する。
【背景技術】
【０００２】  病室のベッドの枕元には床頭台が設けられ、その引き出しプレート（図４参照）上はボトルやコップ等の飲料が載置利用されるが、ボトルやコップは倒れやすく安定しない。例えば、飲料用の設置具を載置使用すると、設置具の取り扱いに手間がかかり、設置具そのものも安定して設けられない。また、設置具をプレートに固定して取付けると、非使用時に邪魔となってプレート上が有効に利用できない問題がある。
【考案の概念】
【考案が解決しようとする課題】
【０００３】  この考案は上記の事情に鑑みて行ったもので、プレート面において必要時に飲料が設置できる飲料設置具を提供することを目的とする。
【課題を解決するための手段】
【０００４】  この考案では、上面に凹み部を持ち、当該飲料設置具の取付け部面に設けられた取付け凹所に略面一に嵌め込み装着されるベース体と、飲料の支持開口を備え、前記凹み部に嵌め込み配置され、その嵌め込み配置された際にその上面を前記ベース体の上面と略面一とする飲料支持体と、前記ベース体に前記飲料支持体を起倒可能に連結する連結体とを備えることを特徴とする飲料設置具を提供する。
【０００５】  上記構成によれば、必要に応じて飲料支持体を起状態とすることで飲料をベース体上に設置できる。非使用時には飲料支持体を倒状態とすることでその表面を取付け部面と略面一とできる。
【０００６】  ベース体が取付け凹所周縁上に位置する取付け縁を備える構成とされることで、飲料設置具が安定して見栄え良く取り付けられる。
【０００７】  ベース体上面に飲料支持体の起時に支持開口に相対する飲料設置凹部が設けられていることで、飲料が安定して設置できる。
【０００８】  飲料支持体を誤った位置に指をかけて起こすことを防止する指かけ防止部が設けられていることで、飲料支持体の起動作が安定して行われる。
【０００９】  この考案の飲料設置具は、屋内、屋外、乗り物等において、ボトルやカップ形態の飲料を設置するためのプレート形態の取付け部に適宜用いられる。とくに、病院床頭台の引き出しプレートに好適に用いられる。
【考案の効果】
【００１０】  この考案の飲料設置具を用いることで、プレート面において必要時に手間がかかることなく飲料が安定設置できるようになり、必要時でないときは飲料設置具が突出しないことで邪魔にならず、プレート面が有効に利用できる。
【図面の簡単な説明】
【００１１】
【図１】  この考案の飲料設置具の実施例の斜視図
【図２】  この考案の飲料設置具の実施例の異なる状態の斜視図
【図３】  この考案の飲料設置具の実施例の分解斜視図
【図４】  この考案の飲料設置具の実施例の使用状態斜視図
【図５】  この考案の飲料設置具の実施例の使用状態断面図
【考案を実施するための形態】
【００１２】  図１はこの考案の飲料設置具の実施例の斜視図、図２は同異なる状態の斜視図、図３は同分解斜視図である。飲料設置具１は全体がプラスチックス製で、ベース体３と飲料支持体５と一対の支持バー２０及び支持体２１より構成される連結体とが組み立てられて構成される。
【００１３】  ベース体３は略楕円の扁平形態で、外周上縁に取付け縁４を備えている。上面の外周の内側に沿って凹み部９が設けられ、その凹み部９の上面後部に円形の飲料設置凹部１１が設けられ、上面前部に湾曲形状の指かけ防止部１３が突出して設けられている。また、凹み部９の周壁の後部の２か所には、相対する位置に軸支穴１０、１２がそれぞれ設けられている。６のそれぞれは取付け用穴である。
【００１４】  飲料支持体５はベース体３の凹み部９の平面形状と略同平面形状で、ベース体３の凹み部９に嵌め込み可能とされ、上記飲料設置凹部１１と同形状の飲料の支持開口１５が設けられている。支持開口１５の垂下縁の後部には指かけ部１９が設けられている。また、外周壁の後部の２か所には、相対する位置に軸支穴１６、１８がそれぞれ設けられている。
【００１５】  連結体は一対の支持バー２０と支持体２１とから構成され、支持バー２０の上下部に軸支穴２３、２４のそれぞれが設けられている。支持体２１は湾曲形態で中央の後方への突出部の両端と、前方に突出する両端部に軸支穴２９、３０のそれぞれが設けられている。
【００１６】  飲料設置具１の組み立てについて説明する。飲料設置具１は、ベース体３の一対の軸支穴１０と支持バー２０の下部の一対の軸支穴２４とに軸支ピン３０それぞれが嵌入され、飲料支持体５の一対の軸支穴１６と支持バー２０の上部の一対の軸支穴２３とに軸支ピン３２それぞれが嵌入されるとともに、ベース体３の一対の軸支穴１２と支持体２１の一対の軸支穴２９とに軸支ピン３６が嵌入され、飲料支持体５の一対の軸支穴１８と支持体２１の一対の軸支穴２７とに軸支ピン３４のそれぞれが嵌入されて組み立てられる。これにより、ベース体３に飲料支持体５が連結体によって起倒可能に支持されて取付けられる。
【００１７】  図４、図５は飲料設置具１の使用状態を示し、飲料設置具１は病室のベッド近傍に設けられる床頭台１００の引き出しプレート（取付け部）１０２に装着使用され、飲料設置具１にはボトル（飲料）２００が設置されている。飲料設置具１は、引き出しプレート１０２に設けられた取付け凹所１０４に嵌設され、取付け縁４が接着剤で取付け凹所１０４の周縁面に貼り付けられて取付けられている。取付け用穴６においてネジ固定により取付けを行ってもよい。取付け縁４が設けられていることで、飲料設置具１は安定して見栄え良く取り付けられる。
【００１８】  飲料設置具１は非使用時においては、図１に示すように、飲料支持体５はベース体３の凹み部９内に納められて、その上面をベース体３の上面と面一とし、この状態において飲料設置具１の上面は引き出しプレート１０２面とほぼ面一となる。これにより、非使用時に手や物品が当たることがなくて損傷することが防止されるとともに、引き出しプレート１０２上が広く使用でき、また、床頭台１００内にスライド収納できる。使用に際しては、図１に示す状態において、指かけ部１９に指をかけて飲料支持体５を持ち上げる。これにより、図２、図５に示すように、飲料支持体５はベース体３から起こされて略水平に位置し、その支持開口１５を通してボトル２００がベース体３の飲料設置凹部１１上に安定設置される。その際、ベース体３の当接部４０の上部側が若干後方に傾斜が設けられるとともに当接縁４２が若干後方に位置することで、支持バー２０、支持体２１は上側が若干後方に傾斜する状態となり、これにより飲料支持体５は戻ることなく安定して起状態に保たれる。飲料が設置されず飲料支持体５が起こされた状態において、誤って引き出しプレート１０２が床頭台１００にスライド収納された場合には、飲料支持体５の後面が床頭台１００の上部縁に相対的に押され飲料支持体５が倒れてベース体３内に納まることで、引き出しプレート１０２は床頭台１００内に支障なくスライド収納される。
【００１９】  上記の使用開始に際し、ベース体３に指かけ防止部１３が設けられていることで、飲料支持体５はＡ位置に指をかけて持ち上げることができない構成とされている。Ａ位置が持ち上げられると、軸支ピン３４による支持体２１への飲料支持体５の軸支部が逆方向に曲がる場合があり、飲料支持体５の前側のみが上方に変位して水平に起きる状態とならず、さらに、大きな力がかかった場合には軸支部が損傷することとなる。
【符号の説明】
【００２０】１    飲料設置具
３    ベース体
５    飲料支持体
９    凹み部
１５  支持開口
２０  支持バー（連結体）
２１  支持体（連結体）
１０２  引き出しプレート（取付け部）
２００  ボトル（飲料）
【図１】
0003220507.tif 000003
【図２】
0003220507.tif 000004
【図３】
0003220507.tif 000005
【図４】
0003220507.tif 000006
【図５】
0003220507.tif 000007
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
取付け部面に嵌め込み装着されて用いられる飲料設置具であり、
上面に凹み部を持ち、前記取付け部面に設けられた取付け凹所に略面一に嵌め込み装着されるベース体と、
飲料の支持開口を備え、前記凹み部に嵌め込み配置され、その嵌め込み配置された際にその上面を前記ベース体の上面と略面一とする飲料支持体と、
前記ベース体に前記飲料支持体を起倒可能に連結する連結体と、
を備えることを特徴とする飲料設置具。
【請求項２】
前記ベース体が、前記取付け凹所周縁上に位置する取付け縁を備える請求項１記載の飲料設置具。
【請求項３】
前記ベース体上面に、前記飲料支持体の起時に前記支持開口に相対する飲料設置凹部が設けられている請求項１記載の飲料設置具。
【請求項４】
前記ベース体上面の、前記飲料支持体が嵌め込み配置された際の前記支持開口の垂下縁の前部が近接相対する位置に沿って、指かけ防止部が突出して設けられてなる請求項１記載の飲料設置具。